(57)【要約】【課題】セキュリティの高い証券を安価に発行可能にする。【解決手段】本発明の証券発行装置を適用した証券発行システム１００において、ホストコンピュータ１は、証券の券面に印刷する印刷項目毎に、黒色トナーによる印刷に関する情報及び透明蛍光トナーによる印刷に関する情報を記憶し、証券印刷装置２０は、証券の券面の各印刷項目を、前記記憶手段に記憶された黒色トナー印刷情報及び透明蛍光トナー印刷情報に基づいて証券用紙に印刷する。【選択図】　　　　　　図１
2004102008.tif 000002
【特許請求の範囲】
【請求項１】
証券を発行するための証券発行装置において、
証券の券面に印刷する印刷項目毎に、黒色トナーによる印刷に関する情報及び透明蛍光トナーによる印刷に関する情報を記憶する記憶手段と、
証券の券面の各印刷項目を、前記記憶手段に記憶された黒色トナー印刷情報及び透明蛍光トナー印刷情報に基づいて証券用紙に印刷する印刷手段と、
を備えることを特徴とする証券発行装置。
【請求項２】
前記記憶手段に記憶された黒色トナー印刷情報には、印刷項目毎に黒色トナーによる印刷の有無を示す情報が含まれ、前記記憶手段に記憶された透明蛍光トナー印刷情報には、印刷項目毎に透明蛍光トナーによる印刷の有無を示す情報が含まれていることを特徴とする請求項１記載の証券発行装置。
【請求項３】
前記記憶手段に記憶された黒色トナー印刷情報には、印刷項目毎に黒色トナーによる印刷位置のデータが含まれ、前記記憶手段に記憶された透明蛍光トナー印刷情報には、印刷項目毎に透明蛍光トナーによる印刷位置のデータが含まれていることを特徴とする請求項１又は２記載の証券発行装置。
【請求項４】
前記記憶手段に記憶された透明蛍光トナー印刷情報には、証券の振出人の口座番号を透明蛍光トナーによって印刷するための情報が含まれていることを特徴とする請求項１〜３の何れか一項に記載の証券発行装置。
【請求項５】
証券の券面に印刷する印刷項目には、ＭＩＣＲ文字で印刷する項目が含まれ、前記記憶手段に記憶された黒色トナー印刷情報には、ＭＩＣＲ文字で印刷する項目を黒色トナーによって印刷するための情報が含まれており、前記記憶手段に記憶された透明蛍光トナー印刷情報には、黒色トナーによってＭＩＣＲ文字で印刷する項目を、透明蛍光トナーによって更に印刷するための情報が含まれていることを特徴とする請求項１〜３の何れか一項に記載の証券発行装置。
【請求項６】
前記記憶手段に記憶された黒色トナー印刷情報には、証券の券面の各印刷項目を黒色トナーによって印刷するための情報が含まれ、前記記憶手段に記憶された透明蛍光トナー印刷情報には、黒色トナーによって印刷する項目を、透明蛍光トナーによって更に印刷するための情報が含まれていることを特徴とする請求項１〜３の何れか一項に記載の証券発行装置。
【発明の詳細な説明】
【０００１】
【発明の属する技術分野】
本発明は、手形や小切手等の証券を発行する証券発行装置に関する。
【０００２】
【従来の技術】
従来、金融機関の事務センター又は営業店等において、金融機関の顧客に対して、未使用の手形や小切手を発行するための証券発行装置が利用されている。この証券発行装置によって発行される手形や小切手の券面には、手形交換所規則に準拠したフォーマットに従って券面要件が印刷されている。また、用紙の底辺部分（クリアバンド）には、ＭＩＣＲ（Ｍａｇｎｅｔｉｃ　Ｉｎｋ　Ｃｈａｒａｃｔｅｒ　Ｒｅｃｏｇｎｉｔｉｏｎ：磁気インキ文字読取用字体）方式による口座番号等が券面に印刷されている（例えば、特許文献１参照）。
【０００３】
その一方、手形や小切手は有価証券であるために、それらが実際に市場で流通する段階、つまり、金融機関によって発行され、顧客によって振り出された段階における不正使用は排除されなくてはならない。従って、金融機関は、手形や小切手の発行に際して、改竄や偽造の防止には充分に配慮しなくてはならない。従来、金融機関の一部において、不正コピーを抑止するために、手形や小切手に透かし入りの用紙を採用したり、本物であることを証明するためのホログラム・シールを手形や小切手に貼付したりすることによって、手形や小切手の偽造防止を行っていた。
【０００４】
【特許文献１】
特開平１０−２７８３９４号公報（第５−８頁、第１−２図、第８図）
【０００５】
【発明が解決しようとする課題】
しかしながら、上述のような透かし入り用紙又はホログラム・シールを用いて手形や小切手を発行する場合、一枚あたりの発行コストがその分高くならざるを得ないという問題があった。
【０００６】
これに対して、金融機関の名称やロゴマーク等を地紋に加工して券面に印刷したり、顧客の署名鑑を券面に印刷したりすることによって、その手形や小切手が本物か否かを識別することを可能にし、偽造防止を図る仕組みもある。しかしながら、地紋や署名鑑を券面に印刷するのはインキ印刷によるため、画一的にしか印刷されず、偽造防止の観点から見ると不充分なものであった。そのため、金融機関による手形や小切手の発行において、安価でありながら、効果的な偽造防止の仕掛けが強く要望されている。
【０００７】
本発明の課題は、セキュリティの高い証券を安価に発行可能にすることである。
【０００８】
【課題を解決するための手段】
請求項１記載の発明の証券発行装置は、
証券を発行するための証券発行装置において、
証券の券面に印刷する印刷項目毎に、黒色トナーによる印刷に関する情報及び透明蛍光トナーによる印刷に関する情報を記憶する記憶手段と、
証券の券面の各印刷項目を、前記記憶手段に記憶された黒色トナー印刷情報及び透明蛍光トナー印刷情報に基づいて証券用紙に印刷する印刷手段と、
を備えることを特徴としている。
【０００９】
この請求項１記載の発明によれば、証券の券面の印刷項目を、透明蛍光トナーによって印刷可能にしたことにより、簡易かつ安価にセキュリティの高い証券を発行することができる。
【００１０】
【発明の実施の形態】
以下、図を参照して本発明の実施の形態を詳細に説明する。
まず、構成を説明する。
【００１１】
図１は、本発明の証券発行装置を適用した証券発行システム１００の全体構成を示す図である。この証券発行システム１００は金融機関の事務センター等に設置され、手形や小切手を印刷し、発行するためのものである。
【００１２】
図１において、証券発行システム１００は、証券の発行業務を統括するホストコンピュータ１と、証券の券面の印刷等を行う証券発行装置２とから構成され、ホストコンピュータ１と証券発行装置２は、ネットワークＮを介して接続される。
【００１３】
ここで、ネットワークＮとは、例えば、ＬＡＮ（Ｌｏｃａｌ　Ａｒｅａ　Ｎｅｔｗｏｒｋ）又はＷＡＮ（Ｗｉｄｅ　Ａｒｅａ　Ｎｅｔｗｏｒｋ）等により構成される通信回線網であり、独立して構築された専用線、或いは一般の電話回線やデジタルデータを伝送可能なＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線等の公衆回線を複数有する。
【００１４】
なお、図１において、ホストコンピュータ１と証券発行装置２の間の接続を有線接続として図示しているが、無線接続であってもよい。また、図１では、本実施の形態を簡略化するため、ホストコンピュータ１と証券発行装置２が１対１で構成される場合を示しているが、１台のホストコンピュータ１に対して複数台の証券発行装置２を接続してもよく、１台のホストコンピュータ１に接続される証券発行装置２の台数は特に限定されない。
【００１５】
次に、図２を参照して、ホストコンピュータ１の内部構成を詳細に説明する。ホストコンピュータ１は、図２に示すように、ＣＰＵ１１、表示部１２、入力部１３、ＲＡＭ１４、記憶部１５、通信部１６により構成されており、各部はバス１７により相互に接続される。通信部１６には前述のネットワークＮが接続されており、このネットワークＮを介して、ホストコンピュータ１と証券発行装置２が通信を行うようになっている。
【００１６】
ＣＰＵ（Ｃｅｎｔｒａｌ　Ｐｒｏｃｅｓｓｉｎｇ　Ｕｎｉｔ）１１は、記憶部１５に格納されている各種制御プログラムを読み出してＲＡＭ１４内に展開し、それらの制御プログラムに従ってホストコンピュータ１の各部を集中制御する。
【００１７】
具体的には、ＣＰＵ１１は、記憶部１５に格納されているファイル設定処理プログラムに従って、証券の券面に印刷する印刷項目毎に、黒色トナー及び／又は透明蛍光トナー（後述）による印刷の設定を行うことにより、印字制御ファイル１５８及び印字パターン設定ファイル１５９の設定を行う（図８参照）。
【００１８】
また、ＣＰＵ１１は、記憶部１５に格納されている印字制御処理プログラムに従って、印字制御ファイル１５８及び印字パターン設定ファイル１５９の設定内容に基づいて、証券発行装置２に対する印刷制御を実行する（図９参照）。
【００１９】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ１１から入力される表示信号に従って所要の表示を行う。
【００２０】
入力部１３は、文字／英数字入力キー、カーソルキー及び各種機能キー等を備えたキーボードと、ポインティングデバイスであるマウスと、を備えて構成され、キーボードで押下操作されたキーの押下信号や、マウスのクリック操作による操作信号をＣＰＵ１１へ出力する。
【００２１】
ＲＡＭ（Ｒａｎｄｏｍ　Ａｃｃｅｓｓ　Ｍｅｍｏｒｙ）１４は、ＣＰＵ１１により実行される各種制御プログラム、入力データ及びプログラム実行処理における処理結果等の各種データをワークメモリに一時的に格納する。
【００２２】
記憶部１５は、プログラムやデータ等が予め記憶されている記録媒体を有している。この記録媒体は、磁気的、光学的記録媒体又は半導体等の不揮発性メモリで構成されており、記憶部１５に固定的に設けたもの又は着脱自在に装着するものである。この記録媒体は、ファイル設定処理プログラム、印字制御処理プログラム及びこれらのプログラムで処理されたデータ等を記憶する。
【００２３】
なお、記憶部１５が記憶するプログラム又はデータ等は、その一部又は全部を他の機器からネットワークＮを介して受信して記憶する構成にしてもよい。また、記録媒体はネットワーク上に構築された別のホストコンピュータの記録媒体であってもよい。また、記憶部１５が記憶するプログラムをネットワークＮを介して他の機器へ伝送して、これらの機器にインストールするような構成にしてもよい。
【００２４】
記憶部１５は、図３に示す証券発行情報管理ＤＢ（Ｄａｔａ　Ｂａｓｅ）１５０を格納する。証券発行情報管理ＤＢ１５０は、図３に示すように、口座マスタファイル１５１、支店マスタファイル１５２、受付ファイル１５３、発行ファイル１５４、システムファイル１５５、発行券種設定ファイル１５６、発行制御ファイル１５７、印字制御ファイル１５８、印字パターン設定ファイル１５９、印刷フォームファイル１６０、書損ファイル１６１等を格納している。
【００２５】
口座マスタファイル１５１は、顧客から申請されて登録された当座口座に関わる情報を格納する。支店マスタファイル１５２は、予め登録されている証券発行元の金融機関の支店情報（支店名、支店番号等）を格納する。受付ファイル１５３は、顧客からデータ受信した証券発行に必要な依頼情報を格納する。
【００２６】
発行ファイル１５４は、実際に証券用紙に券面要件を印刷するために必要な全ての情報を他のファイルから取得して作成された証券の発行データを格納する。この発行データには、証券発行するために必要な情報として、証券発行元の金融機関番号、券種コード、顧客名、口座番号、発行部数等の情報が含まれている。
【００２７】
システムファイル１５５は、証券発行に必要な各種機器、ファイル、各種設定についての情報を格納する。発行券種設定ファイル１５６は、証券発行元の各金融機関によって設定されている手形、小切手等の各券種に関する情報を格納する。発行制御ファイル１５７は、証券発行装置２により証券を発行する際に必要な各種設定情報を格納する。
【００２８】
印字制御ファイル１５８は、証券の券面に印刷する項目の印字内容、印字位置、属性等の印字制御に関する情報を格納する。印字制御ファイル１５８の詳細は、図４において後述する。
【００２９】
印字パターン設定ファイル１５９は、証券の券面に印刷する項目を、黒色の磁気（ＭＩＣＲ）トナー及び／又は透明蛍光トナーにて印字するための印字パターン設定情報を格納する。印字パターン設定ファイル１５９の詳細は、図５において後述する。
【００３０】
印刷フォームファイル１６０は、証券の券面に印刷するレイアウトを証券発行元毎の各種券種に応じて設定した印刷フォームを格納する。書損ファイル１６１は、証券発行の際にジャム等により発生した不良券面の数量や当日の発行量、使用量等の情報を格納している。
【００３１】
図４は、印字制御ファイル１５８のデータ構成を示す図である。印字制御ファイル１５８は、証券の券面に印刷する印刷項目毎に、印字１、印字２、印字位置座票ｘ、印字位置座標ｙ、印字サイズ及び印字ピッチの各項目を格納している。印字制御ファイル１５８の内容は、後述のファイル設定処理（図８参照）において設定される。
【００３２】
図４に示す印字制御ファイル１５８において、「フィールド名」は、印字１、印字２、印字位置座票ｘ、印字位置座標ｙ、印字サイズ及び印字ピッチの各項目の名称を示す。「タイプ」は、対応するフィールド名の項目を１０進数（ＤＣＭＬ：Ｄｅｃｉｍａｌ）の数値で設定するか文字（ＣＨＡＲ）で設定するかを示す。「サイズ」は、「タイプ」で設定される数値（又は文字）の桁数を示す。
【００３３】
印字制御ファイル１５８において、フィールド名が「…印字１」の項目は、該当する印刷項目を黒色の磁気（ＭＩＣＲ）トナーで印字するか否かを示し、黒色の磁気トナー（以下、黒色トナーと称す）で印字する場合は１、印字しない場合は０に設定される。フィールド名が「…印字２」の項目は、該当する印刷項目の印字パターン（詳細は、図５にて後述）を示す。この印字パターンは、黒色トナーによる印字の有無、透明蛍光トナーによる印字の有無、印字位置等によって決められている。本実施の形態では、印字パターンは１０種類あるものとし、０〜９の数値で設定されるものとする。以後、「…印字２」の項目に設定される数値を印字パターン番号と称す。
【００３４】
印字制御ファイル１５８において、「…ｘ」の項目は、該当する印刷項目の黒色トナーでの印字位置のｘ座標（横）を示す。「…ｙ」の項目は、該当する印刷項目の黒色トナーでの印字位置のｙ座標（縦）を示す。例えば、該当する印刷項目の印字位置座標が（１５０、２００）である場合、「…ｘ」の項目には１５０、「…ｙ」の項目には２００が設定される。
【００３５】
印字制御ファイル１５８において、「…サイズ」の項目は、該当する印刷項目の印字サイズを示す。印字サイズとしては、２４ドット、３２ドット、４８ドット等があり、印字サイズが２４ドットに設定されると、該当する印刷項目は、一文字あたり、縦２４ドット×横２４ドットにて印字される。
【００３６】
印字制御ファイル１５８において、「…ピッチ」の項目は、該当する印刷項目の印字ピッチを示す。印字ピッチとは、印字する文字の間隔を意味する。この「…ピッチ」項目では、文字間隔（スペース）がドット数で設定される。
【００３７】
図５（ａ）は、印字パターン設定ファイル１５９のデータ構成を示す図である。印字パターン設定ファイル１５９は、証券に印刷する印刷項目毎に、パターンＮｏ．、通常印字、セキュリティ印字、セキュリティｘ、セキュリティｙの各項目を格納している。印字パターン設定ファイル１５９の内容は、後述のファイル設定処理（図８参照）において設定される。
【００３８】
図５（ａ）において、「パターンＮｏ．」の項目は、他の項目（通常印字、セキュリティ印字、セキュリティｘ、セキュリティｙ）の設定内容に応じてユニークに決まり、印字制御ファイル１５８の「…印字２」に設定される印字パターン番号と同一の値（本実施の形態では、０〜９の値の何れか）が設定される。
【００３９】
図５（ａ）において、「通常印字」の項目は、該当する印刷項目を黒色トナーで印字するか否かを示し、黒色トナーで印字する場合は１、印字しない場合は０に設定される。「セキュリティ印字」の項目は、該当する印刷項目を透明蛍光トナーで印字するか否かを示し、透明蛍光トナーで印字する場合は１、印字しない場合は０に設定される。
【００４０】
図５（ａ）において、「セキュリティｘ」の項目は、該当する印刷項目の透明蛍光トナーでの印字位置のｘ座標（横）を示す。「セキュリティｙ」の項目は、該当する印刷項目の透明蛍光トナーでの印字位置のｙ座標（縦）を示す。「セキュリティｘ」及び「セキュリティｙ」で設定される印字位置座標は、該当する印刷項目の黒色トナーでの印字位置に対する相対位置の座標である。
【００４１】
図５（ｂ）に、印字パターン設定ファイル１５９の設定例を示す。図５（ｂ）の例１では、通常印字が０、セキュリティ印字が１、セキュリティｘ及びｙが、それぞれ、１００、３００である場合に、パターンＮｏ．が１に設定された場合を示している。例１では、通常印字が０、セキュリティ印字が１であることから、該当する印刷項目を黒色トナーによって印字せずに、透明蛍光トナーによって印字することを示す。この場合、透明蛍光トナーによる印字位置は、印字制御ファイル１５８の「…ｘ」及び「…ｙ」で設定された黒色トナーの印字位置座標に、座標（１００、３００）を加えた位置である。
【００４２】
図５（ｂ）の例２では、通常印字が１、セキュリティ印字が１、セキュリティｘ及びｙが、それぞれ、５００、８００である場合に、パターンＮｏ．が２に設定された場合を示している。例２では、通常印字が１、セキュリティ印字が１であることから、該当する印刷項目を黒色トナー及び透明蛍光トナーによって印字することを示す。黒色トナーによる印字位置は、印字制御ファイル１５８の「…ｘ」及び「…ｙ」で設定された黒色トナーの印字位置座標であり、透明蛍光トナーによる印字位置は、黒色トナーによる印字位置座標に、座標（５００、８００）を加えた位置である。
【００４３】
なお、一つの印刷項目を、透明蛍光トナーにて複数箇所に印刷するようにパターンＮｏ．を設定することが可能である。
【００４４】
図２において、通信部１６は、ルータやターミナルアダプタ（ＴＡ：ＴｅｒｍｉｎａｌＡｄａｐｔｅｒ）等によって構成され、専用線、或いはＩＳＤＮ回線等の通信回線を介してネットワーＮに接続された証券発行装置２との間の通信制御を行う。
【００４５】
以上がホストコンピュータ１の構成である。次に、図１及び図６を参照して、証券発行装置２の構成について説明する。
【００４６】
証券発行装置２は、図１及び図６に示すように、証券の印刷業務の制御を行う制御装置１０、証券印刷装置２０、後処理装置３０により構成されている。制御装置１０と証券印刷装置２０はケーブルＣ１により接続され、制御装置１０と後処理装置３０はケーブルＣ２により接続されている。
【００４７】
図６は、証券発行装置２の機能的構成を示すブロック図である。
証券発行装置２において、制御装置１０は、図６に示すように、ＣＰＵ１０１、表示部１０２、入力部１０３、ＲＡＭ１０４、記憶部１０５、伝送制御部１０６により構成されており、各部はバス１０７により相互に接続されている。また、バス１０７には、前述のケーブルＣ１及びケーブルＣ２を介して、それぞれ、証券印刷装置２０、後処理装置３０が接続されている。更に、伝送制御部１０６にはネットワークＮが接続されており、制御装置１０は、このネットワークＮを介して、ホストコンピュータ１に接続されている。
【００４８】
ＣＰＵ１０１は、ホストコンピュータ１からネットワークＮを介して受信した制御信号に従って、制御装置１０の各部、証券発行装置２０及び後処理装置３０を集中制御する。
【００４９】
具体的には、ＣＰＵ１０１は、ホストコンピュータ１からネットワークＮを介して受信した証券発行の指示信号及び印刷データに基づいて、証券印刷装置２０における証券の券面への印刷処理を制御する信号をバス１０７及びケーブルＣ１を介して証券印刷装置２０に出力する。また、ＣＰＵ１０１は、後処理装置３０内の各部における動作を監視して制御する各種制御信号をバス１０７及びケーブルＣ２を介して後処理装置３０に出力する。
【００５０】
表示部１０２は、ＬＣＤやＣＲＴ等により構成され、ＣＰＵ１１から入力される表示信号に従って所要の表示を行う。
【００５１】
入力部１０３は、文字／英数字入力キー、カーソルキー及び各種機能キー等を備えたキーボードと、ポインティングデバイスであるマウスと、を備えて構成され、キーボードで押下操作されたキーの押下信号や、マウスのクリック操作による操作信号をＣＰＵ１０１へ出力する。
【００５２】
ＲＡＭ１０４は、ＣＰＵ１０１により実行される各種制御プログラム、入力データ及びプログラム実行処理における処理結果等の各種データをワークメモリに一時的に格納する。
【００５３】
記憶部１０５は、プログラムやデータ等が予め記憶されている記録媒体を有している。この記録媒体は、磁気的、光学的記録媒体又は半導体等の不揮発性メモリで構成されており、記憶部１０５に固定的に設けたもの又は着脱自在に装着するものである。この記録媒体は、ＣＰＵ１０１により実行される各種制御プログラム及びこれらのプログラムで処理されたデータ等を記憶する。
【００５４】
伝送制御部１０６は、ルータやターミナルアダプタ等によって構成され、専用線、或いはＩＳＤＮ回線等の通信回線を介してネットワーＮに接続されたホストコンピュータ１との間の通信制御を行う。
【００５５】
証券発行装置２において、証券印刷装置２０は、黒色トナー及び透明蛍光トナーの２種類のインクを用いて、証券の券面に文字や背景（地紋）を印刷・出力する、いわゆるタンデム式の画像形成装置である。この証券印刷装置２０は、黒色トナーを用いて印刷を行う画像形成ユニット２１、透明蛍光トナーを用いて印刷を行う画像形成ユニット２２及び搬送部２３により構成されている。
【００５６】
ここで、透明蛍光トナーとは、普段は透明であるが、紫外線を照射することによって蛍光するものである。この透明蛍光トナーによって印刷された文字や図柄は、普段は視認が困難なものだが、例えば、ブラックライト等の紫外線をあてると、その刺激により蛍光をもって明瞭に浮かび上がってきて、視認できるようになる。
【００５７】
画像形成ユニット２１は、図１に示すように、感光体ドラム２１ａ、印字ヘッド２１ｂ及び現像器２１ｃを備えている。画像形成ユニット２２は、現像器２１ｃに収納されるトナーの色（黒色又は透明蛍光色）を除いて、画像形成ユニット２１と同一の構成である。
【００５８】
画像形成ユニット２１は、ＣＰＵ１０１から入力される印刷データ等に基づいて、黒色トナーを用いて証券の印刷を実行する。画像形成ユニット２２は、ＣＰＵ１０１から入力される印刷データ等に基づいて、透明蛍光トナーを用いて証券の印刷を実行する。画像形成ユニット２１及び２２は、証券の印刷が終了すると、印刷が終了した用紙を後述する後処理装置３０内のスリッタ部３０ｂに排紙する。
【００５９】
搬送部２３は、図１に示すように、搬送ベルト２３ａ、駆動ロール２３ｂ、ガイドローラ２３ｃにより構成される。搬送ベルト２３ａは、ガイドローラ２３ｃによって案内され、駆動ロール２３ｂの駆動により回動し、証券用紙を図中左方向へ搬送する。
【００６０】
図１において、画像形成装置２１の印字ヘッド２１ｂは、ＣＰＵ１０１から入力される印刷データに基づいて、帯電器（図示せず）によって帯電した感光体ドラム２１ａの周面に光書き込みを行う。そうすることによって、感光体ドラム２１ａには印刷データに基づく静電潜像が形成され、現像器２１ｃによる現像処理によりトナー像が形成される。このとき、感光体ドラム２１ａの周面に形成されたトナー像は、現像器２１ｃに収納した黒色トナーによるものである。そして、そのトナー像は搬送ベルト２３ａによって搬送されてきた用紙に転写される。
【００６１】
黒色トナーによるトナー像が転写された用紙は、搬送ベルト２３ａによって更に図中左方向に移動し、透明蛍光トナーを収納する画像形成ユニット２２の位置まで達すると、透明蛍光トナーによるトナー像が転写される。以上の工程を経ることによって、証券に黒色トナー及び蛍光・透明トナーによる画像の転写が行われ、後処理装置３０へと排出される。
【００６２】
証券発行装置２において、後処理装置３０は、図６に示すように、デカーラ部３０ａ、スリッタ部３０ｂ、搬送部３０ｃ、ＭＩＣＲリーダ部３０ｄ及びスタッカ部３０ｅにより構成されている。
【００６３】
デカーラ部３０ａは、印刷時に湾曲した券面を矯正する。スリッタ部３０ｂは、券面要件が印刷された２面タイプの証券用紙を１面ずつの単券に分離し、各単券を搬送部３０ｃに排紙する。搬送部３０ｃは、スリッタ部３０ｂから分離排紙された証券を１枚ずつ搬送し、スタッカ部３０ｅに排紙する。ＭＩＣＲリーダ部３０ｄは、証券の券面に印刷されているＭＩＣＲ文字を読み取る磁気的なスキャナを有する。スタッカ部３０ｅは、搬送部３０ｃにより搬送された証券を収納するスタッカを備える。
【００６４】
次に、本実施の形態の動作を説明する。
図７は、証券発行システム１００における証券の依頼から発行までの全体的な流れを説明する図である。
【００６５】
図７において、まず顧客が、例えば顧客端末から金融機関のサーバが開設している証券発注専用のホームページにアクセスし、顧客名、顧客の当座口座番号、依頼する券種、数量等の証券発行に必要な依頼情報を入力して証券発行を依頼する。または、依頼情報を記憶しているＦＤ（フロッピー（登録商標）ディスク）やＭＴ（磁気テープ）等の記憶媒体をサーバに読み込ませて依頼情報を入力することとしてもよい。金融機関のサーバは受付ファイル１５３に入力された依頼情報を格納し、格納した依頼情報を指示に応じてホストコンピュータ１にネットワークを介して送信する。
【００６６】
ホストコンピュータ１は、サーバから通信部１６を介して顧客からの依頼情報を受信して依頼を受け付け、受信した依頼情報を受付ファイル１５３に格納する。または、営業店からホストコンピュータ１に直接依頼情報を入力されると、同様に受付ファイル１５３に格納し、依頼に関する情報を一覧表示した依頼一覧リストを作成する（ステップＡ１）。
【００６７】
次いで、ホストコンピュータ１は、記憶部１５に格納されている各種マスタファイルや口座マスタファイル１５１を参照して、受付ファイル１５３に基づく発行データを作成し、発行ファイル１５４に格納する。このとき、発行データを作成するための情報が足りない等、エラーが発生した場合にはそのエラーに関する情報を一覧表示したエラーリストを作成する（ステップＡ２）。
【００６８】
次いで、ホストコンピュータ１は、発行ファイル１５４に格納されている発行データを読み出して、発行する券種、数量に応じた適切な証券発行装置２に各発行データを割り振り、発行データの割り振り先を一覧表示した割り振りリストを作成する（ステップＡ３）。このとき、発行データ取り消しの指示が入力部１３から入力された場合は、発行ファイル１５４から指定された発行データを削除する。
【００６９】
発行データの割り振り処理を終了すると、ホストコンピュータ１は、各証券発行装置２に、発行データに基づく印刷実行を指示する。証券発行装置２は、ホストコンピュータ１から入力された発行データに基づいて、証券用紙に券面要件を印刷し、証券を発行する（ステップＡ４）。
【００７０】
ここで、証券発行時に行われる臨時発行処理について説明する。この臨時発行処理において、早急に追加したい割り込み発行データが作成された場合は、ホストコンピュータ１は、その割り込み発行データを記憶部１５の割り込み発行ファイルに格納し、証券発行時にその割り込みデータを読み出して、証券発行装置２に対する印刷制御を実行する。また、発行データ作成時にエラー判定された発行データを修正したエラー発行データが作成された場合には、ホストコンピュータ１は、そのエラー発行データを記憶部１５のエラー発行ファイルに格納し、証券発行時にそのエラー発行データを読み出して、証券発行装置２に対する印刷制御を実行する。更に、証券の見本券面の見本発行データが作成された場合は、ホストコンピュータ１は、その見本発行データを記憶部１５の見本発行ファイルに格納し、証券発行時に見本発行データを読み出して、証券発行装置２に対する印刷制御を実行する。
【００７１】
手形や小切手の証券を発行すると、その券面を綴じて背貼りする等して製本する製本処理に移行する（ステップＡ５）。
【００７２】
次に、本実施の形態におけるホストコンピュータ１の動作を詳細に説明する。図８及び図９は、ホストコンピュータの動作を説明するためのフローチャートである。これらのフローチャートは、ホストコンピュータ１を構成するコンピュータに各機能を実現させるためのプログラムを説明するためのものである。これらのプログラムはＣＰＵ１１が読み取り可能なプログラムコードの形態で記録媒体に格納されている例で説明するが、全ての機能を記録媒体に格納する必要はなく、必要に応じて、その一部又は全部を通信ネットワークＮを介して通信部１６から受信して実現するようにしてもよい。
【００７３】
図８のフローチャートを参照して、ホストコンピュータ１において実行されるファイル設定処理について説明する。
【００７４】
まず、印字制御ファイル１５８の設定を行うために、入力部１３の操作により、証券の券面に印刷する印刷項目の設定内容が入力されると、ＣＰＵ１１は、入力内容を印字制御ファイル１５８に設定する（ステップＳ１）。ステップＳ１の設定において、ＣＰＵ１１は、該当する印刷項目の「…印字１」項目に、１（黒色トナーで印字する）又は０（黒色トナーで印字しない）を設定し、「…印字２」項目には、印字パターン番号（０〜９の何れか）を設定する。また、ＣＰＵ１１は、印字制御ファイル１５８に、該当する印刷項目の印字位置、印字サイズ及び印字ピッチを設定する。
【００７５】
次に、ＣＰＵ１１は、ステップＳ１の印字制御ファイル１５８の設定に応じて、印字パターン設定ファイル１５９を設定する（ステップＳ２）。ステップＳ２の設定において、ＣＰＵ１１は、印字パターン設定ファイル１５９の「パターンＮｏ．」の項目に、ステップＳ１で、印字制御ファイル１５８の「…印字２」に設定した印字パターン番号を設定する。印字パターン番号の設定に応じて、ＣＰＵ１１は、「通常印字」、「セキュリティ印字」、「セキュリティｘ」及び「セキュリティｙ」の各項目を設定する。
【００７６】
例えば、記憶部１５の証券発行情報管理ＤＢ１５０に登録されたある金融機関の支店の口座番号を、黒色トナー及び透明蛍光トナーで印字し、透明蛍光トナーによる印字を、黒色トナーの印字位置から（５００、８００）の位置に行う場合（図５（ｂ）の例２参照）、印字制御ファイル１５８の該当する「支店口座番号印字２」項目には、印字パターン番号２が設定される。これに応じて、印字パターン設定ファイル１５９の「パターンＮｏ．」は２、「通常印字」は１、「セキュリティ印字」は１、「セキュリティｘ」は５００、「セキュリティｙ」は８００に設定される。
【００７７】
次に、図９のフローチャートを参照して、図７の証券発行（ステップＡ４）を実行するために、ホストコンピュータ１において実行される印刷制御処理について説明する。
【００７８】
証券発行装置２における証券発行に際し、ホストコンピュータ１のＣＰＵ１１は、まず、システムファイル１５５等からシステム設定情報及び各証券発行装置の設定情報を取得する（ステップＳ１１）。
【００７９】
次いで、ＣＰＵ１１は、印刷フォームファイル１６０から、証券発行に関する全冊（券種別）基本フォームを取得し、マクロ登録する（ステップＳ１２）。そして、ＣＰＵ１１は、口座マスタファイル１５１や支店マスタファイル１５２等の各種マスタファイルから顧客データを取得し、冊毎の固定データをマクロ登録する（ステップＳ１３）。
【００８０】
ＣＰＵ１１は、ステップＳ１２及びＳ１３でマクロ登録したデータ、発行ファイル１５４、印字制御ファイル１５８及び印字パターン設定ファイル１５９に基づいて、黒色トナーでの印刷情報及び透明蛍光トナーでの印刷情報を証券発行装置２に送信し（ステップＳ１４）、本印刷制御処理を終了する。
【００８１】
具体的には、ＣＰＵ１１は、ステップＳ１４において、磁気トナーでの印刷実行命令、上述で登録した各マクロのマクロＩＤ、発行ファイル１５４から取得した個別印刷項目（手形・小切手番号、システム番号等）のデータ及び印字制御ファイル１５８から取得した印刷位置情報を証券発行装置２に送信する。
【００８２】
また、ステップＳ１４において、ＣＰＵ１１は、透明蛍光トナーでの印刷実行命令信号、上述で登録したマクロのうち蛍光印刷に必要なマクロのマクロＩＤ、発行ファイル１５４から取得した透明蛍光トナー印刷に必要な個別印刷項目のデータ及び印字パターン設定ファイル１５９から取得した印刷位置情報を証券発行装置２に送信する。
【００８３】
証券発行装置２は、ホストコンピュータ１から受信した印刷情報に基づいて、証券用紙に券面要件を印刷して証券を発行する。図１０に、小切手の券面印刷例を示す。
【００８４】
小切手は、図１０に示すように、振出人の控えとなる控え部分と、実際に券面要件が印刷されている本券部分とに分かれている。控え部分と本券部分の境にはミシン目が設けられ、振出時には、このミシン目により控え部分と本券部分が切り離せるようになっている。
【００８５】
本券部分には、図１０に示すように、手形・小切手番号、支払地、銀行名、支店名、振出地、署名鑑が印刷されている。また、交換所名、交換所番号、銀行番号及び支店番号からなる交換所枠が印刷されている。更に、本券部分には、振出日を記入するための振出日欄、金額を記入するための金額欄が設けられている。
【００８６】
また、用紙の底辺部分（クリアバンド）には、交換所規則で規定されたＭＩＣＲ文字が印刷されている。このＭＩＣＲ文字は、金融機関や交換所にて、小切手をリーダ・ソータ装置にて機械処理する場合に読み取られる。ＭＩＣＲ文字の部分は、図１０に示すように、個別コード、交換所番号、金融機関番号、店番号、口座番号及び小切手番号が印刷され、これらの各々は、シンボルと呼ばれる特殊記号により区切られている。このように、券面上に印刷された項目の一部は、同一内容が、ＭＩＣＲ文字としてクリアバンド部分に印刷されている。
【００８７】
図１１に、図８のファイル設定処理及び図９の印刷制御処理に基づいて、券面上に口座番号が透明蛍光トナーにて印刷された例を示す。図１１では、口座番号１２３４５６７が、印字位置（ｘ１、ｙ１）及び（ｘ２、ｙ２）の２箇所に透明蛍光トナーで印刷されている。また、この口座番号は、ＭＩＣＲ文字の部分にも黒色トナーにて印刷されている。
【００８８】
次に、証券発行装置２において発行された証券が流通し、金融機関又は交換所にて機械処理される場合の手順を、図１２及び図１３のフローチャートを参照して説明する。
【００８９】
まず、口座番号が透明蛍光トナーで印刷された場合の手形・小切手機械処理について図１２のフローチャートを参照して説明する。
【００９０】
まず、機械処理対象の証券（手形・小切手）が、リーダ／ソータ装置にセットされ、通紙される（ステップＴ１）。リーダ／ソータ装置により、券面のＭＩＣＲ文字が磁気的に高速で読み取られた結果（ステップＴ２）、正常に読み取りができた場合は（ステップＴ２；Ｐａｓｓ）、そのまま通常の機械処理が行われる（ステップＴ３）。
【００９１】
ステップＴ２において、何らかの原因で券面のＭＩＣＲ文字が正常に読み取られなかった場合（ステップＴ２；Ｒｅｊｅｃｔ）、該当する証券は、リジェクトポケット呼ばれるポケットに収納され、オペレータによる処理に移行される。この場合、まず、オペレータにより、リジェクトされたＭＩＣＲ文字の部分が確認され（ステップＴ４）、このリジェクトされたＭＩＣＲ文字部分が口座部分であるか否かが判定される（ステップＴ５）。
【００９２】
ステップＴ５において、リジェクトされたＭＩＣＲ文字部分が、口座番号部分でない場合は（ステップＴ５；ＮＯ）、該当するＭＩＣＲ文字部分の内容は、券面上の他の部分に黒色トナーで印字されているため、オペレータによって、券面上の印刷内容が確認され、修正処理が行われる（ステップＴ６）。
【００９３】
ステップＴ５において、リジェクトされたＭＩＣＲ文字部分が、口座番号部分である場合（ステップＴ５；ＹＥＳ）、口座番号は券面上に黒色トナーにて印刷されていないため、ブラックライト等の簡易具を券面上に照射することにより、透明蛍光トナーにて印刷されている口座番号が確認される（ステップＴ７）。そして、確認された口座番号の内容にて修正処理が行われ（ステップＴ８）、本手形・小切手機械処理が終了する。
【００９４】
次に、図１３のフローチャートを参照して、口座番号以外で、券面に黒色トナーで印刷されている内容が透明蛍光トナーで印刷されている場合の手形・小切手機械処理について説明する。
【００９５】
まず、機械処理対象の証券（手形・小切手）が、リーダ／ソータ装置にセットされ、通紙される（ステップＴ１１）。リーダ／ソータ装置により、券面のＭＩＣＲ文字が磁気的に高速で読み取られた結果（ステップＴ１２）、正常に読み取りができた場合は（ステップＴ１２；Ｐａｓｓ）、そのまま通常の機械処理が行われる（ステップＴ１３）。
【００９６】
ステップＴ１２において、何らかの原因で券面のＭＩＣＲ文字が正常に読み取られなかった場合（ステップＴ１２；Ｒｅｊｅｃｔ）、該当する証券は、リジェクトポケットと呼ばれるポケットに収納され、オペレータによる処理に移行される。この場合、まず、オペレータにより、読み取りができなかったＭＩＣＲ文字の部分が確認される（ステップＴ１４）。
【００９７】
そして、ブラックライト等の簡易具を券面上に照射することにより、透明蛍光トナーにて印刷されている印字部が確認される（ステップＴ１５）。リジェクトされたＭＩＣＲ部分は、券面に黒色トナーにて印刷されているため、透明蛍光トナーで印刷された内容と、黒色トナーで印刷された内容が比較される（ステップＴ１６）。真券であれば、リジェクトされたＭＩＣＲ部分の印刷内容は、透明蛍光トナーにて印刷されているはずである。
【００９８】
ステップＴ１６における比較の結果、オペレータにより、同一内容が印刷されていないと判断されると（ステップＴ１７；ＮＯ）、処理対象の証券は、偽造、改竄の可能性があるため、必要に応じて無効処置と券面の遡及が実施される（ステップＴ１８）。
【００９９】
ステップＴ１６における比較の結果、オペレータにより、同一内容が印刷されていると判断されると（ステップＴ１７；ＹＥＳ）、ステップＴ１６の比較により確認された内容で修正処理が行われ（ステップＴ１９）、本手形・小切手機械処理が終了する。
【０１００】
以上のように、本発明の実施の形態の証券発行システム１００によれば、証券の券面上に、必要な要件を、黒色トナーだけでなく透明蛍光トナーによって印刷することにより、従来のように、証券用紙に透かしを入れる、ホログラムシートを貼付する等の手法に比べて、簡易かつ安価にセキュリティの高い証券を発行することができる。
【０１０１】
また、券面要件を透明蛍光トナーによる印刷を行うことにより、複写機又はイメージスキャナ等による光学的な画像読取では、券面に蛍光印刷された内容を読み取ることができないため、証券の偽造や改竄を防ぐことができる。
【０１０２】
更に、証券の券面に透明蛍光トナーにて印刷する項目及び印刷位置を、ホストコンピュータ１が保有する印刷制御ファイル１５８及び印字パターン設定ファイル１５９において任意に設定可能であるため、透明蛍光トナーによる印刷をファイル設定のみの簡易な操作で実現することができる。
【０１０３】
また、図１１の券面例及び図１２のフローチャートに示すように、ＭＩＣＲ文字では印字するが唯一券面上に黒色トナーで印刷しない顧客の口座番号を、透明蛍光トナーにて印刷することにより、券面上の印刷情報を二重に管理することが可能になる。
【０１０４】
また、図１３のフローチャートに示すように、券面上に、黒色トナーの印刷項目を透明蛍光トナーで印刷することにより、金融機関又は交換所での機械処理において、何らかの理由（破損、欠損等）でＭＩＣＲ文字の読み取りができなくても、ブラックライト等の簡易なツールを用いて、透明蛍光トナーにて印刷されている内容を確認することができる。従って、黒色トナーの印刷項目と透明蛍光トナーの印刷項目とを比較して、証券の真偽を確認することができる。
【０１０５】
また、証券発行装置２における黒色トナーと透明蛍光トナーを用いた印刷を１パスで実現するため、証券の発行業務に係る効率性が高くなる。
【０１０６】
更に、透明蛍光トナーにて印刷する項目は、ホストコンピュータ１が保有するデータベースとリンクされているため、黒色トナーで印刷した券面の内容が改竄、偽造された場合でも、内容に関する遡及が容易にできる。
【０１０７】
また、透明蛍光トナーにて印刷された項目は、紫外線を照射しないと発色しないため、偽造防止の仕掛けが目立つことがなく、通常の券面の印刷内容には、見た目での影響は全くない。
【０１０８】
なお、本実施の形態の記述内容は、本発明の趣旨を逸脱しない範囲で適宜変更可能である。
【０１０９】
例えば、前述の実施の形態における証券発行システム１００は、ホストコンピュータ１と、証券発行装置２内の制御装置１０とを同一のコンピュータシステムとして構成するものとしてもよい。この場合に、証券発行システム１００全体のサイズを小さくできる。また、この場合、ホストコンピュータ１と証券発行装置２とを接続するためのネットワークＮが不要となるため、通信処理の削減を図ることが可能になる。
【０１１０】
【発明の効果】
請求項１記載の発明の証券発行装置によれば、証券の券面の印刷項目を、透明蛍光トナーによって印刷可能にしたことにより、簡易かつ安価にセキュリティの高い証券を発行することができる。
【図面の簡単な説明】
【図１】本発明の証券発行装置を適用した実施の形態における証券発行システム１００の全体構成を示す図である。
【図２】図１のホストコンピュータ１の機能的構成を示すブロック図である。
【図３】図２の記憶部１５に格納される証券発行情報管理ＤＢ１５０のファイル構成を示す図である。
【図４】証券発行情報管理ＤＢ１５０内の印字制御ファイル１５８のデータ構成を説明するための図である。
【図５】証券発行情報管理ＤＢ１５０内の印字パターン設定ファイル１５９のデータ構成を示す図（同図（ａ））と、印字パターン設定ファイル１５９の設定例を示す図（同図（ｂ））である。
【図６】図１の証券発行装置２の機能的構成を示すブロック図である。
【図７】証券発行システム１００における証券の依頼から発行までの全体的な流れを説明するための図である。
【図８】ホストコンピュータ１により実行されるファイル設定処理を示すフローチャートである。
【図９】ホストコンピュータ１により実行される印刷制御処理を示すフローチャートである。
【図１０】証券（小切手）の印刷例を示す図である。
【図１１】透明蛍光トナーで口座番号を印刷した場合の証券（小切手）の印刷例を示す図である。
【図１２】口座番号が透明蛍光トナーで印刷された証券を、金融機関又は交換所にて機械処理する場合の手順を示すフローチャートである。
【図１３】口座番号以外で、黒色トナーで印刷されている券面要件が透明蛍光トナーで印刷された証券を、金融機関又は交換所にて機械処理する場合の手順を示すフローチャートである。
【符号の説明】
１００　証券発行システム
１　　ホストコンピュータ
１１　　ＣＰＵ
１２　　表示部
１３　　入力部
１４　　ＲＡＭ
１５　　記憶部
１５０　証券発行管理ＤＢ
１５１　口座マスタファイル
１５２　支店マスタファイル
１５３　受付ファイル
１５４　発行ファイル
１５５　システムファイル
１５６　発行券種設定ファイル
１５７　発行制御ファイル
１５８　印字制御ファイル
１５９　印字パターン設定ファイル
１６０　印刷フォームファイル
１６１　書損ファイル
１６　　通信部
１７　　バス
２　　証券発行装置
１０　制御装置
１０１　　ＣＰＵ
１０２　　表示部
１０３　　入力部
１０４　　ＲＡＭ
１０５　　記憶部
１０６　　伝送制御部
１０７　　バス
２０　証券印刷装置
２１　　画像形成ユニット（黒色の磁気トナー用）
２１ａ　　感光体ドラム
２１ｂ　　印字ヘッド
２１ｃ　　現像器
２２　　画像形成ユニット（透明蛍光トナー用）
２３　　搬送部
２３ａ　　搬送ベルト
２３ｂ　　駆動ロール
２３ｃ　　ガイドローラ
３０　後処理装置
３０ａ　デカーラ部
３０ｂ　スリッタ部
３０ｃ　搬送部
３０ｄ　ＭＩＣＲリーダ部
３０ｅ　スタッカ部
Ｃ１、Ｃ２　　ケーブル
Ｎ　　ネットワーク
【図１】
2004102008.tif 000003
【図２】
2004102008.tif 000004
【図３】
2004102008.tif 000005
【図４】
2004102008.tif 000006
【図５】
2004102008.tif 000007
【図６】
2004102008.tif 000008
【図７】
2004102008.tif 000009
【図８】
2004102008.tif 000010
【図９】
2004102008.tif 000011
【図１０】
2004102008.tif 000012
【図１１】
2004102008.tif 000013
【図１２】
2004102008.tif 000014
【図１３】
2004102008.tif 000015